(57)【要約】【課題】記録紙の印字面に特定の属性がすでに存在している場合であっても、最適な情報を付加して印字することができる画像形成装置および画像形成方法を提供する。【解決手段】給紙手段１０１，１０５から引き出された記録紙を搬送する搬送経路上に配置されて、記録紙の印字面の属性を読み取る属性読取手段１０６と、前記記録用紙の印字面に情報を付加する情報付加手段１０２と、前記属性読取手段１０２により記録紙の印字面から特定の属性が読み取られた場合には、前記情報付加手段１０２により情報を付加する際の設定を変更する制御手段１１０を備える。【選択図】  図２
2008016888.tif 000002
【特許請求の範囲】
【請求項１】
給紙手段から引き出された記録紙を搬送する搬送経路上に配置されて、記録紙の印字面の属性を読み取る属性読取手段と、
前記記録紙の印字面に情報を付加する情報付加手段と、
前記属性読取手段により記録紙の印字面から特定の属性が読み取られた場合には、前記情報付加手段により情報を付加する際の設定を変更する制御手段と、
を備えていることを特徴とする画像形成装置。
【請求項２】
前記特定の属性は、記録紙の印字面の反射濃度、色相、彩度などの記録紙の印字面自体の特性である請求項１に記載の画像形成装置。
【請求項３】
前記特定の属性は、記録紙の印字面に既に付加されている情報である請求項１に記載の画像形成装置。
【請求項４】
前記属性読取手段は、記録紙の印字面の属性を読み取るために適した分光感度を有する少なくとも一つの受光素子で構成されている請求項１〜３のいずれかに記載の画像形成装置。
【請求項５】
前記属性読取手段は、前記搬送経路上において、作像プロセス部よりも上流側に配置されている請求項１〜４のいずれかに記載の画像形成装置。
【請求項６】
前記読取手段は、記録紙の幅方向において複数個に分割設置されている請求項１〜５のいずれかに記載の画像形成装置。
【請求項７】
給紙手段から引き出された記録紙を搬送する搬送経路上で記録紙の印字面の属性を読み取るステップと、
前記記録紙の印字面に情報を付加するステップと、
前記読み取った記録紙の印字面から特定の属性が読み取られた場合には、前記情報を付加する際の設定を変更するステップと、
を備えたことを特徴とする画像形成方法。
【発明の詳細な説明】
【技術分野】
【０００１】
この発明は、電子写真方式の複写機、プリンタ、複合機であるＭＦＰ（Multi Function Peripherals)等に用いられる画像形成装置および画像形成方法に関する。
【背景技術】
【０００２】
従来、画像形成装置として、文字、写真、図形などの画像情報の他に、地紋やセキュリティコードなどの複写牽制情報や不可視情報といった情報を付加することができるようにしたものがある。
【０００３】
例えば、紙幣などの用紙の種類に応じて、出力する画像に対して悪用防止のパターンを付加するか否かを判断し、付加すると判断した場合には、画像に悪用防止のパターンを付加する技術が開示されている（特許文献１）。
【０００４】
また、原稿を識別するためのデジタル付加情報を入力し、付加情報が画像部に埋め込まれた原稿を印字出力して、機密情報の不正流出を防止する技術も知られている（特許文献２）。
【特許文献１】特許第３０３３４９７号公報
【特許文献２】特開平６−２２１１９号公報
【発明の開示】
【発明が解決しようとする課題】
【０００５】
ところで、上述した電子写真方式のプリンタやＭＦＰの場合、給紙カセットや給紙トレイにセットされる記録紙の印字面の属性（記録紙そのものの特性、あるいは、記録紙に付加されているセキュリティ情報等）として、特定の属性が既に存在する場合がある。
【０００６】
しかし、前記従来の技術はいずれも、印字面に特定の属性が既に存在するか否かは全く考慮されておらず、その特定の属性は存在しないものとして最適化した作像条件で、地紋やセキュリティコードといった情報を付加するものであった。このため、印字面に特定の属性が既に存在する場合には、地紋やセキュリティコード等を付加しても、印字面に存在する特定の属性のために、その付加した情報が読み取れなくなるなど、所望する印字結果が得られない可能性がある。
【０００７】
この発明は、上記実情に鑑みてなされたものであり、記録紙の印字面に特定の属性がすでに存在している場合であっても、最適な情報を付加して印字することができる画像形成装置および画像形成方法を提供することを目的とする。
【課題を解決するための手段】
【０００８】
上記課題は、以下の手段によって解決される。
（１）給紙手段から引き出された記録紙を搬送する搬送経路上に配置されて、記録紙の印字面の属性を読み取る属性読取手段と、前記記録紙の印字面に情報を付加する情報付加手段と、前記属性読取手段により記録紙の印字面から特定の属性が読み取られた場合には、前記情報付加手段により情報を付加する際の設定を変更する制御手段と、を備えていることを特徴とする画像形成装置。
（２）前記特定の属性は、記録紙の印字面の反射濃度、色相、彩度などの記録紙の印字面自体の特性である前項１に記載の画像形成装置。
（３）前記特定の属性は、記録紙の印字面に既に付加されている情報である前項１に記載の画像形成装置。
（４）前記属性読取手段は、記録紙の印字面の属性を読み取るために適した分光感度を有する少なくとも一つの受光素子で構成されている前項１〜３のいずれかに記載の画像形成装置。
（５）前記属性読取手段は、前記搬送経路上において、作像プロセス部よりも上流側に配置されている前項１〜４のいずれかに記載の画像形成装置。
（６）前記読取手段は、記録紙の幅方向において複数箇所に配置されるか、あるいは記録紙の幅方向にわたって、長手方向に長さを有して検知可能に配置されている前項１〜５のいずれかに記載の画像形成装置。
（７）給紙手段から引き出された記録紙を搬送する搬送経路上で記録紙の印字面の属性を読み取るステップと、前記記録紙の印字面に情報を付加するステップと、前記読み取った記録紙の印字面から特定の属性が読み取られた場合には、前記情報を付加する際の設定を変更するステップと、を備えたことを特徴とする画像形成方法。
【発明の効果】
【０００９】
前項（１）に記載の発明によれば、給紙手段から引き出された記録紙が搬送経路上に沿って搬送される際に、記録紙の印字面に特定の属性、例えば記録紙の濃度やセキュリティ情報などがあれば、その属性が前記搬送経路に配置された属性読取手段により読み取られる。記録紙の印字面には情報が付加されるが、前記読み取られた属性に基づいて、その記録紙に情報を付加する際の設定が変更される。このため、記録紙の印字面に特定の属性が既に存在する場合でも、その既存の属性に左右されることなく、所望の情報を適正に付加することができる。
【００１０】
前項（２）に記載の発明によれば、記録紙の印字面の反射濃度、色相や彩度といった記録紙の印字面自体の特性に基づいて、情報を付加する際の設定が変更される。
【００１１】
前項（３）に記載の発明によれば、記録紙の印字面に既に付加されている情報に基づいて、情報を付加する際の設定が変更される。
【００１２】
前項（４）に記載の発明によれば、記録紙の印字面の属性を読み取るために適した分光感度を有する少なくとも一つの受光素子により、記録紙の印字面を的確に読み取ることができる。
【００１３】
前項（５）に記載の発明によれば、属性読取手段により、記録紙の印字面の属性が作像工程以前に読み取られるから、設定を確実に変更した状態で、印字面に情報を付加することができる。
【００１４】
前項（６）に記載の発明によれば、記録紙の印字面幅方向における属性に基づいて付加情報の形成を幅方向に変更することが可能となる。
【００１５】
前項（７）に記載の発明によれば、記録紙の印字面から読み取った特定の属性に基づいて、その記録紙に対する付加情報の設定が変更される。このため、記録紙の印字面に特定の属性が既に存在していても、その既存の属性に左右されるとこなく、セキリュティ情報等を付加した所望の画像を出力可能となる。
【発明を実施するための最良の形態】
【００１６】
以下、この発明の一実施形態を図面に基づいて説明する。
【００１７】
図１は、この発明の一実施形態に係る画像形成装置を示す概略構成図である。
【００１８】
図１において、この画像形成装置は、給紙カセット１０１と、イメージングユニト１０２と、中間転写ベルト１０３と、記録紙を収容した給紙トレイ１０５と、記録紙の搬送経路上に設けられた密着形イメージセンサ１０６と、記録紙搬送ガイド部１０７と、２次転写ローラ１０８と、排紙トレイ１０９と、コントローラ１１０とを備えている。前記イメージングユニト１０２が記録紙の印字面に画像を形成するための作像部として機能し、かつ記録紙の印字面に地紋やセキュリティコード等の情報を付加するための情報付加手段として機能する。
【００１９】
この画像形成装置では、プリントもしくは複写の要求を受けると、給紙カセット１０１あるいは給紙トレイ１０５から記録紙が所定方向（矢印１０４の方向）へ引き出され、記録紙搬送ガイド部１０７に沿って搬送される。
【００２０】
前記記録紙搬送経路上には、前記作像部よりも上流側の位置に密着形イメージセンサ１０６が配置され、このイメージセンサ１０６により、記録紙搬送経路上を搬送される記録紙の印字面が幅方向全面にわたって読み取られるものとなされている。
【００２１】
なお、イメージセンサ１０６は、小形で設置スペースなどの制約の少ない密着型としたが、縮小形のイメージセンサであってもよい。
【００２２】
密着形イメージセンサ１０６が記録紙の印字面から属性を読み取ると、コントローラ１１０により、読み取った属性に応じて、Ｙ（イエロ−），Ｍ（マゼンタ），Ｃ（シアン）およびＫ（ブラック）の４色のイメージングユニット１０２において、地紋やセキュリティ情報などの情報を付加するための作像条件が変更される。
【００２３】
Ｙ，Ｍ，Ｃ，Ｋの４色のイメージングユニット１０２において、プリント要求もしくは複写要求のあった画像情報と、地紋、セキュリティ情報等の付加情報とが中間転写ベルト１０３上に１次転写された後、２次転写ローラ１０８において、記録搬送ガイド１０７に沿って搬送された記録紙に対して一括して転写される。
【００２４】
転写後の記録紙は定着部（図示しない）に搬送された後、排紙トレイ１０９に排出される。排出された記録紙には、画像情報と共に付加情報が印字されている。
【００２５】
なお、前記イメージセンサ１０６は、記録紙の幅方向において複数個に分割して配置しても構わない。このような構成とすることにより、記録紙の印字面幅方向における各イメージセンサから検出された属性に基づいて、付加情報の形成を幅方向において調整したり変更することが可能となる。また、記録紙の印字面幅方向の全体にわたってイメージセンサ１０６を設けなくても良く、記録紙の印字面幅方向の一部を検知する長さのイメージセンサ１０６を配置しても良い。
【００２６】
前述したように、この実施形態に係る画像形成装置では、記録紙の印字面の属性を記録紙搬送経路上に配置したイメージセンサ１０６により読み取り、その結果に基づいて、前記コントローラ１１０が、記録紙に情報を付加する際の設定を変更するものとなされている。ここで、記録紙の印字面の属性は、記録紙の印字面の反射濃度、色相、彩度などの記録紙の印字面自体の特性であっても良いし、記録紙の印字面に既に付加されているセキュリティ情報等の情報であっても良い。
【００２７】
図２は、図１の画像形成装置におけるプリント開始から作像開始までの処理を示すフローチャートである。
【００２８】
図２において、ステップＳ２０１でプリント開始の要求を受けると、ステップＳ２０２で、イメージセンサ１０６による印字面の属性の検出処理を行い、ステップＳ２０３に進む。
【００２９】
ここで、属性とは、前述したように、記録紙の印字面そのものの特性（反射濃度、色相、彩度など）、または記録紙の印字面にすでに付加されている情報（セキュリティコードなどの付加情報）である。
【００３０】
ステップＳ２０３では、特定の属性が存在しているか否かを判断する。特定の属性が存在していなければ（ステップＳ２０３でＮＯ）、ステップＳ２０６に進み、特定属性が存在すれば（ステップＳ２０３でＹＥＳ）、ステップＳ２０４では、特定属性の解析を行う。次いで、ステップＳ２０５では、特定属性の解析結果に基づいて、セキュリティコードや地紋などの付加情報を作像する際のプロセス条件を変更する付加情報用設定変更処理を実行する。
【００３１】
その後、ステップＳ２０６で作像を開始する。
【００３２】
図３は、付加情報として地紋を印字する時の処理を示すフローチャートである。
【００３３】
図３において、ステップＳ３０１では、地紋プリント開始の要求を受けると、ステップＳ３０２で、イメージセンサ１０６による印字面の属性の検出処理を行い、ステップＳ３０３で、特定の属性が存在しているか否かを判断する。特定の属性とは、前述したように、記録紙の印字面そのものの特性（反射濃度、色相、彩度など）、または記録紙の印字面にすでに付加されている情報（セキュリティコードなどの付加情報）である。
【００３４】
特定の属性が存在していなければ（ステップＳ３０３でＮＯ）、ステップＳ３１１では、地紋の付加情報を作像する際のプロセス条件を地紋用デフォルト設定にセットした後、ステップＳ３１３で、作像を開始する。
【００３５】
特定の属性が存在していれば（ステップＳ３０３でＹＥＳ）、ステップＳ３０４で、その属性について解析処理を行う。
【００３６】
ついで、ステップＳ３０５では、解析結果に基づいて、地紋付加が可能であるか否かを判断する。地紋付加が可能であれば（ステップＳ３０５でＹＥＳ）、ステップＳ３０６では、地紋用の設定を変更する処理を実行した後、ステップＳ３１３で作像を開始する。
【００３７】
地紋付加が不可能であれば（ステップＳ３０５でＮＯ）、ステップＳ３０７で、ユーザーに対して、「指定された記録紙では地紋印字しても地紋としての機能を果たさない可能性が高い」ことを通知する。
【００３８】
この通知は、画像形成装置がプリンタである場合には、端末のプリンタドライバ画面に表示し、複写機である場合には、操作パネルなどに表示すればよい。
【００３９】
この後、ステップＳ３０８では、ユーザに対して、プリントを続行するか否かの判断を促し、ユーザがプリントを続行しない旨を入力すれば（ステップＳ３０８でＮＯ）、ステップＳ３０９でプリント中止処理を行い、本処理を終了する。なお、指定した給紙カセット１０１にセットされた記録紙を変更したり、別の給紙カセットを使うように、ユーザに指示する構成としてもよい。
【００４０】
ユーザがプリントを続行する旨の入力をした場合には（ステップＳ３０８でＹＥＳ）、ステップＳ３１０で、地紋付加を諦めるか否かの判断を促し、ユーザが地紋付加を諦めない旨を入力しなければ（ステップＳ３１０でＮＯ）、ステップＳ３１１では、地紋印字しても地紋としての機能を果たさない可能性が高いものの、地紋の付加情報を作像する際のプロセス条件を地紋用デフォルト設定にセットしたのち、ステップＳ３１３で作像を開始する。
【００４１】
ユーザが地紋付加を諦める旨を入力した場合には（ステップＳ３１０でＹＥＳ）、ステップＳ３１２では、地紋付加を中止し、ステップＳ３１３で、地紋以外の画像の作像を開始する。
【００４２】
図４は、図３の属性解析処理（ステップＳ３０４）の一例を示すフローチャートである。
【００４３】
密着型イメージセンサ１０６の受光素子を、一般的なＲＧＢの３原色で構成する。記録紙の印字面そのものの属性を解析するものであるから、それほど高い解析度が要求されるものではない。
【００４４】
図４において、ステップＳ４０１で、給紙カセット１０１もしくは給紙トレイ１０５から搬送されてきた記録紙の印字面を、イメージセンサ１０６が記録紙の幅方向全面にわたって読み取ることにより、データ（Ｒ，Ｇ，Ｂ）が得られる。
【００４５】
ステップＳ４０２では、データ（Ｒ，Ｇ，Ｂ）について図示しない平均化処理を行い、各平均値を色彩値（Ｌ，Ｃ，Ｈ）に変換する。
【００４６】
Ｌは、０〜１００の値の明度に対応するデータであって、０：黒、１００：白であり、数字が大きいほど明るくなる。
【００４７】
Ｃは、０〜１００の値の彩度に対応するデータであって、０：無彩色、１００：有彩色であり、数字が大きいほど鮮やかになる。
【００４８】
Ｈは、０〜３６０の値の色相に対応するデータであって、おおよそ、０：赤、９０：黄、１８０：緑、２７０：青であり、３６０度で１周するため０＝３６０になる。
【００４９】
ついで、ステップＳ４０３では、Ｌが８０未満（Ｌ＜８０）か否かを判断し、Ｌ＜８０の場合つまり記録紙濃度が高い場合には（ステップＳ４０３でＹＥＳ）、ステップＳ４０４では、地紋を付加しても機能しない可能性が高いと見なして、地紋印字不可を決定したのち、リターンする。
【００５０】
Ｌ≧８０であれば（ステップＳ４０３でＮＯ）、ステップＳ４０５で、Ｃが３０を超える（Ｃ＞３０）か否かを判断し、Ｃ＞３０の場合つまり記録紙彩度が高い場合は（ステップＳ４０５でＹＥＳ）、ステップＳ４０４に進み、地紋を付加しても機能しない可能性が高いことから、地紋印字不可の決定をしたのち、リターンする。
【００５１】
Ｃ＞３０でなければ（ステップＳ４０５でＮＯ）、ステップＳ４０６では、Ｃ≦５か否かを判断し、Ｃ≦５であれば（ステップＳ４０６でＹＥＳ）、ステップＳ４０７では、記録紙彩度および記録紙濃度が共に低いから、地紋をブラックで印字する決定を行った後、リターンする。なお、Ｂｌａｃｋでの印字を地紋用デフォルト設定としてもよい。
【００５２】
Ｃ≦５でなければ（ステップＳ４０６でＮＯ）、以後、色相データＨに基づいて分類する。まず、ステップＳ４０８で、０≦Ｈ＜６０であるかどうかを調べ、０≦Ｈ＜６０であれば（ステップＳ４０８でＹＥＳ）、ステップＳ４０９では、地紋をレッドで印字する決定を行った後、リターンする。
【００５３】
０≦Ｈ＜６０でなければ（ステップＳ４０８でＮＯ）、ステップＳ４１０では６０≦Ｈ＜１２０か否かを判断し、６０≦Ｈ＜１２０であれば（ステップＳ４１０でＹＥＳ）、ステップＳ４１１では、地紋をイエローで印字するように決定をしてから、リターンする。
【００５４】
６０≦Ｈ＜１２０でなければ（ステップＳ４１０でＮＯ）、ステップＳ４１２では、１２０≦Ｈ＜２００か否かを判断し、１２０≦Ｈ＜２００であれば（ステップＳ４１２でＹＥＳ）、ステップＳ４１３では、地紋をグリーンで印字する決定を行った後、リターンする。
【００５５】
１２０≦Ｈ＜２００でなければ（ステップＳ４１２でＮＯ）、ステップＳ４１４では、２００≦Ｈ＜２７０か否かを判断し、２００≦Ｈ＜２７０であれば（ステップＳ４１４でＹＥＳ）、ステップＳ４１５では、地紋をシアンで印字する決定を行った後、リターンする。
【００５６】
２００≦Ｈ＜２７０でなければ（ステップＳ４１４でＮＯ）、ステップＳ４１６では、２７０≦Ｈ＜３００か否かを判断し、２７０≦Ｈ＜３００であれば（ステップＳ４１６でＹＥＳ）、ステップＳ４１７では、地紋をブルーで印字する決定を行った後、リターンする。
【００５７】
２７０≦Ｈ＜３００でなければ（ステップＳ４１６でＮＯ）、ステップＳ４１８では、地紋をマゼンタで印字する決定を行った後、リターンする。
【００５８】
各印字色の決定に基づいて、図３のステップＳ３０６で設定変更が行われる。
【００５９】
図５は、図３の属性解析処理（ステップＳ３０４）の他の例を示すフローチャートである。
【００６０】
密着型イメージセンサ１０６の受光素子を、一般的なＲＧＢの３原色で構成する。記録紙の印字面そのものの属性を解析するものであるから、それほど高い解析度が要求されるものではない。
【００６１】
図５において、ステップＳ５０１では、給紙カセット１０１もしくは給紙トレイ１０５から搬送されてきた記録紙の印字面を、イメージセンサ１０６が記録紙の幅方向全面にわたって読み取り、得られたデータ（Ｒ，Ｇ，Ｂ）について平均化処理を行い、明るさに対応する明度データＬを得る。
【００６２】
ステップＳ５０２では、明度データＬに基づいて分類し、Ｌ≧９５であるか否かを判断し、Ｌ≧９５であれば（ステップＳ５０２でＹＥＳ）、ステップＳ５０３では、「地紋パターン０」にセットする決定を行った後、リターンする。
【００６３】
ここで、「地紋パターン０」は複写牽制パターンと背景パターンとから構成され、複写された際に、背景パターンに対して複写牽制パターンが抜ける（ネガ）ものと浮き出る（ポジ）ものがある。この地紋パターン０をデフォルトの設定としてもよい。
【００６４】
Ｌ≧９５でなければ、つまりＬが９５未満であれば（ステップＳ５０２でＮＯ）、ステップＳ５０４では、９０≦Ｌ＜９５であるか否かを判断する。
【００６５】
９０≦Ｌ＜９５であれば（ステップＳ５０４でＹＥＳ）、ステップＳ５０５では、「地紋パターン１」にセットする決定を行った後、リターンする。
【００６６】
「地紋パターン１」は、「地紋パターン０」と比較して、パターン密度やドットの大きさを大きくするなどして、ネガの場合には背景パターンが、ポジの場合には複写牽制パターンが濃くなるように設定されている。
【００６７】
９０≦Ｌ＜９５でなければ（ステップＳ５０４でＮＯ）、ステップＳ５０６では、８５≦Ｌ＜９０であるか否かを判断し、８５≦Ｌ＜９０であれば（ステップＳ５０６でＹＥＳ）、ステップＳ５０７では、「地紋パターン２」にセットする決定を行った後、リターンする。
【００６８】
「地紋パターン２」は、「地紋パターン１」と比較して、さらにパターン密度やドットの大きさを大きくするなどして、ネガの場合には背景パターンが、ポジの場合には複写牽制パターンが濃くなるように設定する。
【００６９】
８５≦Ｌ＜９０でなければ（ステップＳ５０６でＮＯ）、ステップＳ５０８では、８０≦Ｌ＜８５であるか否かを判断し、８０≦Ｌ＜８５であれば（ステップＳ５０８でＹＥＳ）、ステップＳ５０９では、「地紋パターン３」にセットする決定を行った後、リターンする。
【００７０】
「地紋パターン３」は、「地紋パターン２」と比較して、さらにパターン密度やドットの大きさを大きくするなどして、ネガの場合には背景パターンが、ポジの場合には複写牽制パターンが濃くなるように設定する。
【００７１】
８０≦Ｌ＜８５でなければ、具体的には、Ｌ＜８０（用紙濃度が高い場合）であれば（ステップＳ５０８でＮＯ）、ステップＳ５１０では、地紋を付加しても機能しない可能性が高いため、地紋の印字不可を決定した後、リターンする。
【００７２】
各地紋パターンの決定に基づいて、図３のステップＳ３０６で設定変更が行われる。
【００７３】
図６は、記録紙の印字面に印字されたセキュリティ情報等の付加情報が既に存在する場合の属性解析処理（ステップＳ３０４）を示すフローチャートである。
【００７４】
密着型イメージセンサ１０６の受光素子を、一般的なＲＧＢの３原色で構成する。記録紙の印字面にすでに印字された属性（例えばセキュリティ情報）を解析するため、比較的高い解像度で読み取る必要がある。
【００７５】
図６において、ステップＳ６０１では、給紙カセット１０１もしくは給紙トレイ１０５から搬送されてきた記録紙の印字面を、イメージセンサ１０６により記録紙の幅方向全面にわたって読み取り、データ（Ｒ，Ｇ，Ｂ）を得る。
【００７６】
ステップＳ６０２では、データ（Ｒ，Ｇ，Ｂ）を色彩値（Ｌ，Ｃ，Ｈ）に変換する。
【００７７】
彩度Ｃの比較的高い画素に注目することで、すでに印字された属性（セキュリティ情報）を抽出し、そのコード情報部分について、その色相に相当するデータＨを基に分類する。
【００７８】
ステップＳ６０３では、４０≦Ｈ＜１６０であるか否かを判断し、４０≦Ｈ＜１６０であれば（ステップＳ６０３でＹＥＳ）、ステップＳ６０４では、既存のセキュリティ情報はイエローの色材からなるトナーやインクで印字されており、さらに識別可能なセキュリティ情報を追記するために、シアンもしくはマゼンタの色材からなるトナーやインクで印字する決定を行った後、リターンする。
【００７９】
４０≦Ｈ＜１６０でなければ（ステップＳ６０３でＮＯ）、ステップＳ６０５では、１６０≦Ｈ＜２８０であるか否かを判断し、１６０≦Ｈ＜２８０であれば（ステップＳ６０５でＹＥＳ）、ステップＳ６０６では、既存のセキュリティ情報はシアンの色材からなるトナーやインクで印字されており、さらに識別可能なセキュリティ情報を追記するために、マゼンタもしくはイエローの色材からなるトナーやインクで印字する決定を行った後、リターンする。
【００８０】
１６０≦Ｈ＜２８０でなければ、具体的には、２８０≦Ｈ＜３６０または０≦Ｈ＜４０であれば（ステップＳ６０５でＮＯ）、ステップＳ６０７では、既存のセキュリティ情報はマゼンタの色材からなるトナーやインクで印字されており、さらに識別可能なセキュリティ情報を追記するために、イエローもしくはシアンの色材からなるトナーやインクで印字する決定を行った後、リターンする。
【００８１】
なお、判断条件などで用いる各種数値やしきい値などは、上記実施形態に限定されることなく、装置に応じて適時変更することが可能である。
【図面の簡単な説明】
【００８２】
【図１】この発明の一実施形態に係る画像形成装置を示す概略構成図である。
【図２】図１の画像形成装置におけるプリント開始から作像開始までの処理を示すフローチャートである。
【図３】付加情報として地紋を印字する時の処理を示すフローチャートである。
【図４】図３の属性解析処理（ステップＳ３０４）の一例を示すフローチャートである。
【図５】図３の属性解析処理（ステップＳ３０４）の他の例を示すフローチャートである。
【図６】記録紙の印字面にすでに印字された情報が存在する場合の属性解析処理（ステップＳ３０４）の一例を示すフローチャートである。
【符号の説明】
【００８３】
１０１          給紙カセット
１０２          イメージングユニト
１０５          給紙トレイ
１０６          イメージセンサ
１１０          コントローラ
【図１】
2008016888.tif 000003
【図２】
2008016888.tif 000004
【図３】
2008016888.tif 000005
【図４】
2008016888.tif 000006
【図５】
2008016888.tif 000007
【図６】
2008016888.tif 000008